(57)【特許請求の範囲】
【請求項１】
シャツ本体と、
前記シャツ本体とは別個に設けられ、前記シャツ本体の袖先端部に着脱自在に装着される袖口部材と、を備えたシャツであって、
前記袖口部材は、帯状に形成されており、
前記袖口部材の裏側の面の、少なくとも前記袖口部材の長手方向の両端部には、前記長手方向に沿わせ、かつ、先端を前記長手方向の中央に向けた状態で薄板状の第１爪部が固定され、
前記袖先端部の外側の面の、少なくとも前記袖先端部の周方向の両端部には、前記周方向に沿わせ、かつ、挿入口を前記周方向の両端に向けた状態で前記第１爪部が挿入される第１爪挿入部が形成されており、
前記第１爪部が前記第１爪挿入部に挿入されることにより、前記袖口部材が前記袖先端部に着脱自在に装着されることを特徴とするシャツ。
【請求項２】
前記第１爪挿入部は、前記袖先端部の二重の生地の内部に形成されている、請求項１に記載のシャツ。
【請求項３】
前記第１爪部は、前記袖口部材の前記長手方向に沿って複数配置され、
前記第１爪挿入部は、前記袖先端部の前記周方向に沿って前記複数の第１爪部と一対一対応で同数配置されている、請求項１又は２に記載のシャツ。
【請求項４】
前記シャツ本体とは別個に設けられ、前記シャツ本体に着脱自在に装着される襟部材をさらに備えた、請求項１〜３のいずれか１項に記載のシャツ。
【請求項５】
前記シャツ本体は、立襟を備えており、
前記襟部材は、帯状に形成され、長手方向に沿って二つ折りに折り曲げて、前記立襟に被せられる、請求項４に記載のシャツ。
【請求項６】
前記襟部材の、前記立襟の内側の面と対向する側の面には、前記襟部材の折り曲げ線と略垂直に、かつ、先端を前記折り曲げ線の方向に向けた状態で薄板状の第２爪部が固定され、
前記立襟の前記内側の面には、前記立襟の上縁線と略垂直に、かつ、挿入口を前記上縁線とは反対の方向に向けた状態で前記第２爪部が挿入される第２爪挿入部が形成されている、請求項５に記載のシャツ。
【請求項７】
前記第２爪挿入部は、前記立襟の二重の生地の内部に形成されている、請求項６に記載のシャツ。
【請求項８】
前記第２爪部は、前記襟部材の前記長手方向に沿って複数配置され、
前記第２爪挿入部は、前記立襟の長手方向に沿って前記複数の第２爪部と一対一対応で同数配置されている、請求項６又は７に記載のシャツ。
【発明の詳細な説明】
【技術分野】
【０００１】
本発明は、襟部材、袖口部材（カフス）などのシャツ構成部材をシャツ本体に着脱自在に装着できるようにしたシャツに関する。
【背景技術】
【０００２】
ワイシャツ等のシャツは、襟部と袖口部（カフス）が特に汚れやすく、着用し続けた場合には、服地の他の部位がほとんど汚れないうちに、襟部と袖口部だけが汚れてしまうため、頻繁に洗濯する必要があった。
【０００３】
そこで、従来、襟部材、袖口部材などのシャツ構成部材をシャツ本体に着脱自在に装着できるようにしたシャツが提案されている（例えば、特許文献１〜５参照）。特許文献１に開示されたシャツにおいては、襟部材及び袖口部材を、ボタンとボタンホールを用いてシャツ本体に装着するようにされている。また、特許文献２に開示されたシャツにおいては、襟部材及び袖口部材を、ホックを用いてシャツ本体に装着するようにされている。さらに、特許文献３〜５に開示されたシャツにおいては、襟部材及び袖口部材を、面ファスナ雄材と面ファスナ雌材の噛み合わせによってシャツ本体に装着するようにされている。
【先行技術文献】
【特許文献】
【０００４】
【特許文献１】特許第５０２２７９０号公報
【特許文献２】実用新案登録第３０９３２３５号公報
【特許文献３】実用新案登録第３０９９５１０号公報
【特許文献４】実用新案登録第３１５４１７２号公報
【特許文献５】実開平５−０５１９１４号公報
【発明の概要】
【発明が解決しようとする課題】
【０００５】
しかし、特許文献１に開示されているシャツでは、襟部材及び袖口部材を、ボタンとボタンホールを用いてシャツ本体に装着するようにされているため、ボタンの掛け替えが面倒で、襟部材及び袖口部材の着脱を簡単に行なうことができない、という問題点がある。
【０００６】
また、特許文献２に開示されているシャツでは、襟部材及び袖口部材を、ホックを用いてシャツ本体に装着するようにされているため、襟部材及び袖口部材が簡単に外れてしまう虞がある。
【０００７】
さらに、特許文献３〜５に開示されているシャツでは、襟部材及び袖口部材を、面ファスナ雄材と面ファスナ雌材の噛み合わせによってシャツ本体に装着するようにされているため、襟部材及び袖口部材の取付け部分が分厚くなり過ぎて、着用感が悪い、という問題点がある。尚、この問題点を解消するために面ファスナ雄材と面ファスナ雌材の噛み合わせ厚を薄くすると、上記特許文献２に開示されたシャツの場合と同様に、襟部材及び袖口部材が簡単に外れてしまう虞がある。
【０００８】
本発明は、従来技術における前記課題を解決するためになされたものであり、襟部材、袖口部材（カフス）などのシャツ構成部材の着脱が容易であると共に、当該シャツ構成部材を装着した状態でも着用感の良好なシャツを提供することを目的とする。また、本発明は、襟部材、袖口部材（カフス）などのシャツ構成部材が簡単に外れてしまうことのないシャツを提供することを目的とする。
【課題を解決するための手段】
【０００９】
前記目的を達成するため、本発明に係るシャツの構成は、
（１）シャツ本体と、前記シャツ本体とは別個に設けられ、前記シャツ本体の袖先端部に着脱自在に装着される袖口部材と、を備えたシャツであって、前記袖口部材は、帯状に形成されており、前記袖口部材の裏側の面の、少なくとも前記袖口部材の長手方向の両端部には、前記長手方向に沿わせ、かつ、先端を前記長手方向の中央に向けた状態で薄板状の第１爪部が固定され、前記袖先端部の外側の面の、少なくとも前記袖先端部の周方向の両端部には、前記周方向に沿わせ、かつ、挿入口を前記周方向の両端に向けた状態で前記第１爪部が挿入される第１爪挿入部が形成されており、前記第１爪部が前記第１爪挿入部に挿入されることにより、前記袖口部材が前記袖先端部に着脱自在に装着されることを特徴とする。
【００１１】
本発明のシャツの上記（１）の構成によれば、第１爪部を第１爪挿入部に挿入するだけで、袖口部材をシャツ本体の袖先端部に装着することができ、第１爪部を第１爪挿入部から抜き取るだけで、袖口部材をシャツ本体の袖先端部から取り外すことができるので、袖口部材の着脱が容易なシャツを提供することができる。また、本発明のシャツの上記（１）の構成によれば、袖口部材の取付け部分に、「薄板状」の第１爪部と当該第１爪部が挿入される第１爪挿入部が介在されるだけであり、袖口部材の取付け部分が分厚くなり過ぎることはないので、袖口部材を装着した状態でも着用感の良好なシャツを提供することができる。また、本発明のシャツの上記（１）の構成によれば、袖口部材（カフス）が汚れても、他の袖口部材（カフス）に簡単に付け替えることができるので、頻繁に洗濯する必要のないシャツを提供することができる。また、いろいろな形、デザインの袖口部材に簡単に付け替えることができるので、クールビズのお洒落を存分に楽しむことのできるシャツを提供することができる。さらに、袖口部材を簡単に取り外すことができるので、袖口部材だけをシャツ本体とは別個に持ち運んで、当該袖口部材の型崩れを防止することもできる。また、第１爪部を第１爪挿入部に挿入した状態で、袖口部材を袖先端部の前方に引っ張っても、第１爪部が第１爪挿入部から簡単に抜けてしまうことはない。従って、本発明のシャツの上記（１）の構成によれば、袖口部材が簡単に外れてしまうことのないシャツを提供することができる。
【００１２】
本発明のシャツの上記（１）の構成においては、以下の（２）〜（８）のような構成にすることが好ましい。
【００１３】
（２）前記第１爪挿入部は、前記袖先端部の二重の生地の内部に形成されている。
【００１４】
上記（２）の好ましい構成によれば、「薄板状」の第１爪部がシャツ本体の袖先端部の生地の内部に挿入される構成であり、袖口部材の取付け部分の厚みをさらに薄くすることができるので、袖口部材を装着した状態での着用感をさらに良好なものとすることができる。
【００１５】
（３）前記第１爪部は、前記袖口部材の前記長手方向に沿って複数配置され、前記第１爪挿入部は、前記袖先端部の前記周方向に沿って前記複数の第１爪部と一対一対応で同数配置されている。
（４）前記シャツ本体とは別個に設けられ、前記シャツ本体に着脱自在に装着される襟部材をさらに備えている。
【００１６】
上記（４）の好ましい構成によれば、襟部材が汚れても、他の襟部材に簡単に付け替えることができるので、頻繁に洗濯する必要のないシャツを提供することができる。また、いろいろな形、デザインの襟部材に簡単に付け替えることができるので、クールビズのお洒落を存分に楽しむことのできるシャツを提供することができる。さらに、襟部材を簡単に取り外すことができるので、襟部材だけをシャツ本体とは別個に持ち運んで、当該襟部材の型崩れを防止することもできる。
【００１７】
（５）上記（４）の構成において、前記シャツ本体は、立襟を備えており、前記襟部材は、帯状に形成され、長手方向に沿って二つ折りに折り曲げて、前記立襟に被せられる。
【００１８】
上記（５）の好ましい構成によれば、立襟が芯の役目を果たすため、襟部材を型崩れさせることなくシャツ本体に装着することができる。
【００１９】
（６）上記（５）の構成において、前記襟部材の、前記立襟の内側の面と対向する側の面には、前記襟部材の折り曲げ線と略垂直に、かつ、先端を前記折り曲げ線の方向に向けた状態で薄板状の第２爪部が固定され、前記立襟の前記内側の面には、前記立襟の上縁線と略垂直に、かつ、挿入口を前記上縁線とは反対の方向に向けた状態で前記第２爪部が挿入される第２爪挿入部が形成されている。
【００２０】
上記（６）の好ましい構成によれば、第２爪部を第２爪挿入部に挿入した状態で、襟部材を立襟の上方に引っ張っても、第２爪部が第２爪挿入部から簡単に抜けてしまうことはない。従って、上記（６）の好ましい構成によれば、襟部材が簡単に外れてしまうことのないシャツを提供することができる。
【００２１】
（７）上記（６）の構成において、前記第２爪挿入部は、前記立襟の二重の生地の内部に形成されている。
（８）上記（６）の構成において、前記第２爪部は、前記襟部材の前記長手方向に沿って複数配置され、前記第２爪挿入部は、前記立襟の長手方向に沿って前記複数の第２爪部と一対一対応で同数配置されている。
【発明の効果】
【００３２】
本発明によれば、襟部材、袖口部材（カフス）などのシャツ構成部材の着脱が容易であると共に、当該シャツ構成部材を装着した状態でも着用感の良好なシャツを提供することができる。また、本発明によれば、襟部材、袖口部材（カフス）などのシャツ構成部材が簡単に外れてしまうことのないシャツを提供することができる。
【図面の簡単な説明】
【００３３】
【図１】図１は、本発明の第１及び第２の実施の形態におけるシャツを示す正面図である。
【図２】図２は、本発明の第１及び第２の実施の形態におけるシャツのシャツ本体を示す正面図である。
【図３】図３は、本発明の第１の実施の形態におけるシャツの襟部材を示す背面図である。
【図４】図４は、本発明の第１の実施の形態におけるシャツの襟部材を示す正面図である。
【図５】図５は、本発明の第１の実施の形態のシャツの襟部材における、長手方向に沿って二つ折りに折り曲げた状態を示す正面図である。
【図６】図６は、本発明の第１の実施の形態のシャツにおける、シャツ本体と襟部材との関係を示す正面図である。
【図７】図７は、本発明の第１の実施の形態のシャツにおける、襟部材の爪部をシャツ本体の爪挿入部に挿入した状態を示す正面図である。
【図８】図８は、本発明の第１の実施の形態のシャツにおける、襟部材をシャツ本体に装着した状態を示す正面図である。
【図９】図９は、本発明の第２の実施の形態におけるシャツの右側の袖口部材を示す背面図である。
【図１０】図１０は、本発明の第２の実施の形態におけるシャツの右側の袖口部材を示す正面図である。
【図１１】図１１は、本発明の第２の実施の形態におけるシャツの左側の袖口部材を示す背面図である。
【図１２】図１２は、本発明の第２の実施の形態におけるシャツの左側の袖口部材を示す正面図である。
【図１３】図１３は、本発明の第２の実施の形態のシャツにおける、シャツ本体と袖口部材との関係を示す図である。
【図１４】図１４は、本発明の第２の実施の形態のシャツにおける、袖口部材をシャツ本体に装着した状態を示す斜視図である。
【図１５】図１５は、本発明の第３の実施の形態におけるシャツを示す正面図である。
【図１６】図１６は、本発明の第３の実施の形態のシャツにおける、シャツ本体と袖部材との関係を示す斜視図である。
【図１７】図１７は、本発明の第３の実施の形態のシャツにおける、袖部材をシャツ本体に装着した状態を示す正面図である。
【発明を実施するための形態】
【００３４】
以下、好適な実施の形態を用いて本発明をさらに具体的に説明する。但し、下記の実施の形態は本発明を具現化した例に過ぎず、本発明はこれに限定されるものではない。
【００３５】
［第１の実施の形態］
（シャツの構成）
まず、本発明の第１の実施の形態におけるシャツの構成について、図１〜図８を参照しながら説明する。
【００３６】
図１は、本発明の第１の実施の形態におけるシャツを示す正面図、図２は、当該シャツのシャツ本体を示す正面図、図３は、当該シャツの襟部材を示す背面図、図４は、当該シャツの襟部材を示す正面図、図５は、当該シャツの襟部材における、長手方向に沿って二つ折りに折り曲げた状態を示す正面図、図６は、当該シャツにおける、シャツ本体と襟部材との関係を示す正面図、図７は、当該シャツにおける、襟部材の爪部をシャツ本体の爪挿入部に挿入した状態を示す正面図、図８は、当該シャツにおける、襟部材をシャツ本体に装着した状態を示す正面図である。
【００３７】
図１、図２に示すように、本実施の形態のシャツ１は、シャツ本体２と、シャツ本体２とは別個に設けられ、シャツ本体２に着脱自在に装着されるシャツ構成部材としての襟部材３及び袖口部材（カフス）４と、を備えている。尚、本実施の形態においては、襟部材３を中心に説明し、袖口部材４の詳細については、後述する第２の実施の形態において説明する。
【００３８】
図２、図３、図６に示すように、襟部材３には薄板状の爪部５が設けられ、シャツ本体２には爪部５が挿入される爪挿入部６が設けられている。そして、図１、図２、図８に示すように、爪部５が爪挿入部６に挿入されることにより、襟部材３がシャツ本体２に着脱自在に装着されるようにされている。
【００３９】
シャツ１のかかる構成によれば、爪部５を爪挿入部６に挿入するだけで、襟部材３をシャツ本体２に装着することができ、爪部５を爪挿入部６から抜き取るだけで、襟部材３をシャツ本体２から取り外すことができるので、襟部材３の着脱が容易なシャツを提供することができる。また、シャツ１のかかる構成によれば、襟部材３の取付け部分に、「薄板状」の爪部５と当該爪部５が挿入される爪挿入部６が介在されるだけであり、襟部材３の取付け部分が分厚くなり過ぎることはないので、襟部材３を装着した状態でも着用感の良好なシャツを提供することができる。また、襟部材３の取付け部分の形状がいびつ（歪）になることもない。そして、シャツ本体２に着脱自在に装着されるシャツ構成部材が襟部材３である場合には、襟部材３が汚れても、他の襟部材に簡単に付け替えることができるので、頻繁に洗濯する必要のないシャツを提供することができる。また、いろいろな形、デザインの襟部材に簡単に付け替えることができるので、クールビズのお洒落を存分に楽しむことができる。さらに、襟部材３を簡単に取り外すことができるので、襟部材３だけをシャツ本体２とは別個に持ち運んで、当該襟部材３の型崩れを防止することもできる。
【００４０】
図３、図４に示すように、襟部材３は、略逆台形の形をした帯状に形成されている。襟部材３は、上辺の長さが約４４．５ｃｍ、下辺の長さが約３６．５ｃｍ、幅が約９．５ｃｍである。襟部材３の背面（シャツ本体２に装着する際に、後述する立襟７の内側の面と対向する面；図７参照）には、下辺部の両端及び中央に爪部５が基端を襟部材３に縫い付けることによって固定されている。すなわち、爪部５は、襟部材３の長手方向に沿って３個配置されている。ここで、爪部５は、襟部材３の下辺（あるいは、後述する折り曲げ線３ａ）と略垂直に、かつ、先端を襟部材３の上辺（あるいは、折り曲げ線３ａ）の方向に向けた状態で固定されている。爪部５は、可撓性を有するプラスチックで形成されており、長さが約３ｃｍ、先端部を除く幅が約１．２ｃｍ、厚みが約０．３ｍｍ〜約０．５ｍｍである。
【００４１】
図２、図６に示すように、シャツ本体２は、立襟７を備えている。立襟７は、長さが約４５ｃｍ、幅が約４ｃｍである。そして、図４〜図８に示すように、襟部材３は、長手方向に沿って折り曲げ線３ａで二つ折りに折り曲げて、立襟７に被せられる。かかる構成によれば、立襟７が芯の役目を果たすため、襟部材３を型崩れさせることなくシャツ本体２に装着することができる。
【００４２】
図２、図６〜図８に示すように、立襟７の内側の面には、爪挿入部６が立襟７の上縁線７ａと略垂直に、かつ、挿入口６ａを上縁線７ａとは反対の方向に向けた状態で形成されている。ここで、爪挿入部６は、立襟７の長手方向に沿って３個の爪部５と一対一対応で同数配置されている。
【００４３】
爪部５と爪挿入部６を、上記のような向きに設定したことにより、図７に示すように、爪部５を爪挿入部６に挿入した状態で、襟部材３を立襟７の上方に引っ張っても（矢印Ａ参照）、爪部５が爪挿入部６から簡単に抜けてしまうことはない。従って、本実施の形態のシャツ１の構成によれば、シャツ構成部材である襟部材３が簡単に外れてしまうことのないシャツを提供することができる。
【００４４】
本実施の形態において、爪挿入部６は、立襟７（シャツ本体２）の二重の生地を袋状に縫い合わせ、挿入口６ａを穴かがり縫いすることによって形成されている。このように、爪挿入部６は、立襟７の二重の生地の内部に形成されており、爪部５は、立襟７の生地の内部に挿入される構成となっている。かかる構成によれば、シャツ構成部材である襟部材３の取付け部分の厚みをさらに薄くすることができるので、襟部材３を装着した状態での着用感をさらに良好なものとすることができる。ここで、爪挿入部６は、長さが約３ｃｍ〜約３．５ｃｍ、幅が約１．５ｃｍである。
【００４５】
（シャツの使用方法）
次に、本発明の第１の実施の形態におけるシャツの使用方法について説明する。
【００４６】
図６に示すように、まず、シャツ本体２の立襟７を真っ直ぐに伸ばした（開いた）状態にする。そして、図６、図７に示すように、襟部材３に固定されている３個の爪部５をそれぞれ、立襟７に形成された対応する爪挿入部６に挿入口６ａから挿入する。次いで、図７、図８に示すように、襟部材３を折り曲げ線３ａで二つ折りに折り曲げて、当該襟部材３を立襟７に被せる。この状態でシャツ１を着て、図１に示すように、前ボタン８を留める。これにより、襟部材３が装着された状態のシャツ１を着ることができる。
【００４７】
同じ形、デザインの他の襟部材あるいは別の形、デザインの他の襟部材に付け替える場合には、図７、図８に示すように、二つ折りに折り曲げた襟部材３を広げ、襟部材３に固定されている３個の爪部５をそれぞれ、立襟７に形成された対応する爪挿入部６から抜き取り、上記と同様にして他の襟部材を装着すればよい。このように、いろいろな形、デザインの襟部材に簡単に付け替えることができるので、クールビズのお洒落を存分に楽しむことができる。
【００４８】
尚、本実施の形態においては、シャツ構成部材である襟部材３に爪部５が設けられ、シャツ本体２（立襟７）に当該爪部５が挿入される爪挿入部６が設けられている場合を例に挙げて説明したが、本発明は必ずしもこのような構成に限定されるものではない。シャツ本体２に爪部が設けられ、シャツ構成部材である襟部材３に当該爪部が挿入される爪挿入部が設けられていてもよい。
【００４９】
また、本実施の形態においては、シャツ本体２が立襟７を備え、襟部材３が当該立襟７に被せられた状態でシャツ本体２に装着される場合を例に挙げて説明したが、本発明は必ずしもこのような構成に限定されるものではない。立襟を備えていないシャツ本体に直接襟部材を着脱自在に装着するようにしてもよい。
【００５０】
また、本実施の形態においては、爪挿入部６がシャツ本体２の立襟７（あるいは襟部材３）の二重の生地の内部に形成されている場合を例に挙げて説明したが、本発明は必ずしもこのような構成に限定されるものではない。例えば、シャツ本体２あるいは襟部材３の生地の表面に別の生地を袋状に縫い付けることにより、爪挿入部を形成するようにしてもよい。
【００５１】
また、本実施の形態においては、爪部５が、襟部材３の折り曲げ線３ａと略垂直に、かつ、先端を折り曲げ線３ａの方向に向けた状態で固定され、爪挿入部６が、立襟７の上縁線７ａと略垂直に、かつ、挿入口６ａを上縁線７ａとは反対の方向に向けた状態で形成されている場合を例に挙げて説明したが、本発明は必ずしもこのような構成に限定されるものではない。例えば、爪部が襟部材３の長手方向に沿わせた状態で固定され、特に、前記長手方向の両端の爪部が、先端を前記長手方向の中央に向けた状態で固定されている構成であってもよい。この場合、爪挿入部は、立襟７の長手方向に沿わせた状態で形成され、特に、前記長手方向の両端の爪挿入部は、挿入口を前記長手方向の両端に向けた状態で形成される。そして、この構成によっても、襟部材３の外れ防止を図ることができる。
【００５２】
また、本実施の形態においては、爪部５及び爪挿入部６がそれぞれ３個配置されている場合を例に挙げて説明したが、本発明は必ずしもこのような構成に限定されるものではない。爪部５及び爪挿入部６の数は、１個であっても、２個であっても、４個以上であってもよい。
【００５３】
また、本実施の形態においては、爪挿入部が袋状に形成されている場合を例に挙げて説明したが、本発明は必ずしもこのような構成に限定されるものではない。例えば、爪挿入部は、両端が生地に固定された複数の糸を、間隔を置いて複数並べることによって形成されていてもよい。
【００５４】
［第２の実施の形態］
（シャツの構成）
次に、本発明の第２の実施の形態におけるシャツの構成について、図９〜図１４のほか、図１、図２をも参照しながら説明する。
【００５５】
図９は、本発明の第２の実施の形態におけるシャツの右側の袖口部材を示す背面図、図１０は、当該シャツの右側の袖口部材を示す正面図、図１１は、当該シャツの左側の袖口部材を示す背面図、図１２は、当該シャツの左側の袖口部材を示す正面図、図１３は、当該シャツにおける、シャツ本体と袖口部材との関係を示す図、図１４は、当該シャツにおける、袖口部材をシャツ本体に装着した状態を示す斜視図である。
【００５６】
図１、図２に示すように、本実施の形態のシャツ１は、シャツ本体２と、シャツ本体２とは別個に設けられ、シャツ本体２に着脱自在に装着されるシャツ構成部材としての襟部材３及び袖口部材（カフス）４と、を備えている。尚、襟部材３については上記第１の実施の形態で説明したので、本実施の形態においては、袖口部材４を中心に説明する。
【００５７】
図２、図９〜図１３に示すように、右側の袖口部材４ａと左側の袖口部材４ｂには、それぞれ薄板状の爪部９が設けられ、シャツ本体２の袖先端部１０には爪部９が挿入される爪挿入部１１が設けられている。そして、図１、図２、図１４に示すように、爪部９が爪挿入部１１に挿入されることにより、袖口部材４（右側の袖口部材４ａと左側の袖口部材４ｂ）がシャツ本体２の袖先端部１０に着脱自在に装着されるようにされている。
【００５８】
シャツ１のかかる構成によれば、爪部９を爪挿入部１１に挿入するだけで、右側の袖口部材４ａと左側の袖口部材４ｂをシャツ本体２の袖先端部１０に装着することができ、爪部９を爪挿入部１１から抜き取るだけで、右側の袖口部材４ａと左側の袖口部材４ｂをシャツ本体２の袖先端部１０から取り外すことができるので、右側の袖口部材４ａと左側の袖口部材４ｂの着脱が容易なシャツを提供することができる。また、シャツ１のかかる構成によれば、袖口部材４の取付け部分に、「薄板状」の爪部９と当該爪部９が挿入される爪挿入部１１が介在されるだけであり、袖口部材４の取付け部分が分厚くなり過ぎることはないので、袖口部材４を装着した状態でも着用感の良好なシャツを提供することができる。また、袖口部材４の取付け部分の形状がいびつ（歪）になることもない。そして、シャツ本体２に着脱自在に装着されるシャツ構成部材が袖口部材４である場合には、袖口部材４が汚れても、他の袖口部材に簡単に付け替えることができるので、頻繁に洗濯する必要のないシャツを提供することができる。また、いろいろな形、デザインの袖口部材に簡単に付け替えることができるので、クールビズのお洒落を存分に楽しむことができる。さらに、袖口部材４を簡単に取り外すことができるので、袖口部材４だけをシャツ本体２とは別個に持ち運んで、当該袖口部材４の型崩れを防止することもできる。
【００５９】
図９〜図１２に示すように、袖口部材４ａ、４ｂは、上辺側の両端が丸くなった帯状に形成されている。袖口部材４ａ、４ｂは、長さが約２６ｃｍ、幅が約７ｃｍである。袖口部材４ａ、４ｂの裏側の面（背面）には、下辺部の両端及び中央に爪部９が基端を袖口部材４ａ、４ｂに縫い付けることによって固定されている。すなわち、爪部９は、袖口部材４ａ、４ｂの長手方向に沿って３個配置されている。ここで、爪部９は、袖口部材４ａ、４ｂの長手方向に沿わせた状態で固定されている。特に、両端の爪部９は、先端を前記長手方向の中央に向けた状態で固定され、右側の袖口部材４ａと左側の袖口部材４ｂとで、中央の爪部９の向きが逆になっている。爪部９は、可撓性を有するプラスチックで形成されており、長さが約４．２ｃｍ、先端部を除く幅が約１．２ｃｍ、厚みが約０．３ｍｍ〜約０．５ｍｍである。
【００６０】
図２、図１３に示すように、シャツ本体２の袖先端部１０の外側の面の、周方向の両端部及び中央部には、爪挿入部１１が前記周方向に沿わせた状態で形成されている。すなわち、爪挿入部１１は、袖先端部１０の周方向に沿って３個の爪部９と一対一対応で同数配置されている。特に、両端部の爪挿入部１１は、挿入口１１ａを前記周方向の両端に向けた状態で形成されている。
【００６１】
爪部９と爪挿入部１１を、上記のような向きに設定したことにより、図１３、図１４に示すように、爪部９を爪挿入部１１に挿入した状態で、袖口部材４を袖先端部１０の前方に引っ張っても（図１４の矢印Ｂ参照）、爪部９が爪挿入部１１から簡単に抜けてしまうことはない。従って、本実施の形態のシャツ１の構成によれば、シャツ構成部材である袖口部材４が簡単に外れてしまうことのないシャツを提供することができる。
【００６２】
図１０、図１２に示すように、袖口部材４ａ、４ｂの表側の面（正面）には、長手方向の両端部に袖ボタン１２と当該袖ボタン１２を留めるボタンホール２３がそれぞれ設けられている。
【００６３】
本実施の形態において、爪挿入部１１は、袖先端部１０の二重の生地を袋状に縫い合わせ、挿入口１１ａを穴かがり縫いすることによって形成されている。このように、爪挿入部１１は、袖先端部１０の二重の生地の内部に形成されており、爪部９は、袖先端部１０の生地の内部に挿入される構成となっている。かかる構成によれば、シャツ構成部材である袖口部材４の取付け部分の厚みをさらに薄くすることができるので、袖口部材４を装着した状態での着用感をさらに良好なものとすることができる。ここで、爪挿入部１１は、長さが約５ｃｍ、幅が約１．７ｃｍである。尚、二重の生地からなる袖先端部１０の幅が爪部９の幅と同程度であれば、穴かがり縫いによって３つの挿入口１１ａを形成するだけでもよい。この場合、３つの爪挿入部１１は、連通した状態となる。
【００６４】
（シャツの使用方法）
次に、本発明の第２の実施の形態におけるシャツの使用方法について説明する。
【００６５】
図２に示すように、まず、シャツ本体２の袖先端部１０を真っ直ぐに伸ばした（開いた）状態にする。そして、図１３、図１４に示すように、袖口部材４に固定されている３個の爪部９をそれぞれ、袖先端部１０に形成された対応する爪挿入部１１に挿入口１１ａから挿入する。この状態でシャツ１を着て、図１、図１４に示すように、袖ボタン１２をボタンホール２３に留める。これにより、袖口部材４が装着された状態のシャツ１を着ることができる。
【００６６】
同じ形、デザインの他の袖口部材あるいは別の形、デザインの他の袖口部材に付け替える場合には、図１、図２に示すように、袖ボタン１２をボタンホール２３から外して、シャツ本体２の袖先端部１０を真っ直ぐに伸ばした（開いた）状態にし、図１３、図１４に示すように、袖口部材４に固定されている３個の爪部９をそれぞれ、袖先端部１０に形成された対応する爪挿入部１１から抜き取り、上記と同様にして他の袖口部材を装着すればよい。このように、いろいろな形、デザインの袖口部材に簡単に付け替えることができるので、クールビズのお洒落を存分に楽しむことができる。
【００６７】
尚、本実施の形態においては、シャツ構成部材である袖口部材４に爪部９が設けられ、シャツ本体２（袖先端部１０）に当該爪部９が挿入される爪挿入部１１が設けられている場合を例に挙げて説明したが、本発明は必ずしもこのような構成に限定されるものではない。シャツ本体２に爪部が設けられ、シャツ構成部材である袖口部材４に当該爪部が挿入される爪挿入部が設けられていてもよい。
【００６８】
また、本実施の形態においては、爪挿入部１１がシャツ本体２の袖先端部１０（あるいは袖口部材４）の二重の生地の内部に形成されている場合を例に挙げて説明したが、本発明は必ずしもこのような構成に限定されるものではない。例えば、シャツ本体２あるいは袖口部材４の生地の表面に別の生地を袋状に縫い付けることにより、爪挿入部を形成するようにしてもよい。
【００６９】
また、本実施の形態においては、爪部９が、袖口部材４ａ、４ｂの長手方向に沿わせた状態で固定され、特に、両端の爪部９が、先端を前記長手方向の中央に向けた状態で固定されており、爪挿入部１１が、袖先端部１０の周方向に沿わせた状態で形成され、特に、両端部の爪挿入部１１が、挿入口１１ａを前記周方向の両端に向けた状態で形成されている場合を例に挙げて説明したが、本発明は必ずしもこのような構成に限定されるものではない。例えば、爪部が袖口部材４ａ、４ｂの下辺と略垂直に、かつ、先端を袖口部材４ａ、４ｂの上辺の方向に向けた状態で固定されている構成であってもよい。この場合、爪挿入部は、袖先端部１０の開口縁線と略垂直に、かつ、挿入口を袖先端部１０の開口縁線とは反対の方向に向けた状態で形成される。そして、この構成によっても、袖口部材４ａ、４ｂの外れ防止を図ることができる。
【００７０】
また、本実施の形態においては、爪部９及び爪挿入部１１がそれぞれ３個配置されている場合を例に挙げて説明したが、本発明は必ずしもこのような構成に限定されるものではない。爪部及び爪挿入部は、袖口部材４の長手方向又は袖先端部１０の周方向の少なくとも両端に配置されていればよい。従って、爪部９及び爪挿入部１１の数は、２個であっても、４個以上であってもよい。
【００７１】
また、本実施の形態においては、爪挿入部が袋状に形成されている場合を例に挙げて説明したが、本発明は必ずしもこのような構成に限定されるものではない。例えば、爪挿入部は、両端が生地に固定された複数の糸を、間隔を置いて複数並べることによって形成されていてもよい。
【００７２】
また、上記第１及び第２の実施の形態においては、シャツ本体２に着脱自在に装着されるシャツ構成部材として襟部材３及び袖口部材（カフス）４を備えている場合を例に挙げて説明したが、本発明は必ずしもこのような構成に限定されるものではない。本発明のシャツは、シャツ構成部材として襟部材及び袖口部材（カフス）の少なくともいずれか一方を備えていればよい。
【００７３】
［第３の実施の形態］
（シャツの構成）
次に、本発明の第３の実施の形態におけるシャツの構成について、図１５〜図１７を参照しながら説明する。
【００７４】
図１５は、本発明の第３の実施の形態におけるシャツを示す正面図、図１６は、当該シャツにおける、シャツ本体と袖部材との関係を示す斜視図、図１７は、当該シャツにおける、袖部材をシャツ本体に装着した状態を示す正面図である。
【００７５】
図１５に示すように、本実施の形態のシャツ１３は、シャツ本体１４と、シャツ本体１４とは別個に設けられ、シャツ本体１４に着脱自在に装着されるシャツ構成部材としての袖部材１５（右側の袖部材１５ａ、左側の袖部材１５ｂ）と、を備えている。ここで、シャツ本体１４は、半袖シャツである。
【００７６】
図１６に示すように、袖部材１５には薄板状の爪部１６が設けられ、半袖シャツ（シャツ本体１４）の袖先端部１７には爪部１６が挿入される爪挿入部１８が設けられている。そして、図１７に示すように、爪部１６が爪挿入部１８に挿入されることにより、袖部材１５が半袖シャツ（シャツ本体１４）の袖先端部１７に着脱自在に装着されるようにされている。
【００７７】
シャツ１３のかかる構成によれば、爪部１６を爪挿入部１８に挿入するだけで、右側の袖部材１５ａと左側の袖部材１５ｂを半袖シャツ（シャツ本体１４）の袖先端部１７に装着することができ、爪部１６を爪挿入部１８から抜き取るだけで、右側の袖部材１５ａと左側の袖部材１５ｂを半袖シャツ（シャツ本体１４）の袖先端部１７から取り外すことができるので、右側の袖部材１５ａと左側の袖部材１５ｂの着脱が容易なシャツを提供することができる。
【００７８】
夏の時季においては、通常、半袖シャツを着用するが、半袖シャツの上からスーツの上着を羽織ると、汗でスーツの袖部分が腕にくっ付いて、着心地の悪い思いをすることがある。その点、本実施の形態のようにシャツ本体１４に着脱自在に装着されるシャツ構成部材が袖部材１５ａ、１５ｂである場合には、半袖シャツ（シャツ本体１４）の袖先端部１７に袖部材１５ａ、１５ｂを装着し、この状態でシャツ１３を着て、その上からスーツの上着を羽織ることにより、長袖シャツの上からスーツの上着を羽織った場合と同じ状態となる。その結果、汗でスーツの袖部分が腕にくっ付いてしまうことはないので、着心地の悪さを解消することができる。その一方で、スーツの上着を羽織らない場合には、半袖シャツ（シャツ本体１４）の袖先端部１７から袖部材１５ａ、１５ｂを取り外すことにより、暑さを凌ぐことができる。
【００７９】
図１６に示すように、袖部材１５の基端部の内側の面には、周方向に沿った３箇所に爪部１６が基端を袖部材１５に縫い付けることによって固定されている。ここで、爪部１６は、袖部材１５の基端開口縁線１９と略垂直に、かつ、先端を袖部材１５の袖口２０の方向に向けた状態で固定されている。爪部５は、可撓性を有するプラスチックで形成されており、長さが約３ｃｍ、先端部を除く幅が約１．２ｃｍ、厚みが約０．３ｍｍ〜約０．５ｍｍである。尚、袖部材１５の基端部には、当該基端部を広げて爪部１６を爪挿入部１８に挿入しやすくするために、複数の切れ込み２２が形成されている。
【００８０】
同じく図１６に示すように、半袖シャツ（シャツ本体１４）の袖先端部１７の外側の面には、爪挿入部１８が袖先端部１７の開口縁線２１と略垂直に、かつ、挿入口１８ａを開口縁線２１とは反対の方向に向けた状態で形成されている。ここで、爪挿入部１８は、袖先端部１７の周方向に沿って３個の爪部１６と一対一対応で同数配置されている。
【００８１】
爪部１６と爪挿入部１８を、上記のような向きに設定したことにより、図１７に示すように、爪部１６を爪挿入部１８に挿入した状態で、袖部材１５を半袖シャツ（シャツ本体１４）の袖先端部１７の前方に引っ張っても（矢印Ｃ参照）、爪部１６が爪挿入部１８から簡単に抜けてしまうことはない。従って、本実施の形態のシャツ１３の構成によれば、シャツ構成部材である袖部材１５が簡単に外れてしまうことのないシャツを提供することができる。
【００８２】
本実施の形態において、爪挿入部１８は、半袖シャツ（シャツ本体１４）の袖先端部１７の二重の生地を袋状に縫い合わせ、挿入口１８ａを穴かがり縫いすることによって形成されている。このように、爪挿入部１８は、半袖シャツ（シャツ本体１４）の袖先端部１７の二重の生地の内部に形成されており、爪部１６は、半袖シャツ（シャツ本体１４）の袖先端部１７の生地の内部に挿入される構成となっている。かかる構成によれば、シャツ構成部材である袖部材１５ａ、１５ｂの取付け部分の厚みをさらに薄くすることができるので、袖部材１５ａ、１５ｂを装着した状態での着用感をさらに良好なものとすることができる。ここで、爪挿入部６は、長さが約３．５ｃｍ、幅が約１．５ｃｍである。
【００８３】
（シャツの使用方法）
次に、本発明の第３の実施の形態におけるシャツの使用方法について説明する。
【００８４】
図１６に示すように、まず、袖部材１５の基端部を広げ、次いで、図１６、図１７に示すように、袖部材１５に固定されている３個の爪部１６をそれぞれ、半袖シャツ（シャツ本体１４）の袖先端部１７に形成された対応する爪挿入部１８に挿入口１８ａから挿入する。これにより、図１５に示すように、半袖シャツ（シャツ本体１４）の袖先端部１７に右側の袖部材１５ａと左側の袖部材１５ｂが装着された状態となる。この状態でシャツ１３を着て、その上からスーツの上着を羽織れば、長袖シャツの上からスーツの上着を羽織った場合と同じ状態となる。その結果、汗でスーツの袖部分が腕にくっ付いてしまうことはないので、着心地の悪さを解消することができる。
【００８５】
一方、スーツの上着を羽織らない場合には、袖部材１５に固定されている３個の爪部１６をそれぞれ、半袖シャツ（シャツ本体１４）の袖先端部１７に形成された対応する爪挿入部１８から抜き取り、半袖シャツ（シャツ本体１４）の袖先端部１７から右側の袖部材１５ａと左側の袖部材１５ｂを取り外す。これにより、暑さを凌ぐことができる。
【００８６】
尚、本実施の形態においては、シャツ構成部材である袖部材１５ａ、１５ｂに爪部１６が設けられ、シャツ本体１４（半袖シャツの袖先端部１７）に当該爪部１６が挿入される爪挿入部１８が設けられている場合を例に挙げて説明したが、本発明は必ずしもこのような構成に限定されるものではない。シャツ本体１４に爪部が設けられ、シャツ構成部材である袖部材１５ａ、１５ｂに当該爪部が挿入される爪挿入部が設けられていてもよい。
【００８７】
また、本実施の形態においては、爪挿入部１８がシャツ本体１４（半袖シャツの袖先端部１７）（あるいは袖部材１５）の二重の生地の内部に形成されている場合を例に挙げて説明したが、本発明は必ずしもこのような構成に限定されるものではない。例えば、シャツ本体１４あるいは袖部材１５の生地の表面に別の生地を袋状に縫い付けることにより、爪挿入部を形成するようにしてもよい。
【００８８】
また、本実施の形態においては、爪部１６が、袖部材１５の基端開口縁線１９と略垂直に、かつ、先端を袖部材１５の袖口２０の方向に向けた状態で固定され、爪挿入部１８が、袖先端部１７の開口縁線２１と略垂直に、かつ、挿入口１８ａを開口縁線２１とは反対の方向に向けた状態で形成されている場合を例に挙げて説明したが、本発明は必ずしもこのような構成に限定されるものではない。例えば、爪部が袖部材１５の基端部の周方向に沿わせた状態で、かつ、隣接する爪部の向きを異ならせた状態で固定されている構成であってもよい。この場合、爪挿入部は、袖先端部１７の周方向に沿わせた状態で、対応する爪部に合わせて形成される。そして、この構成によっても、袖部材１５の外れ防止を図ることができる。
【００８９】
また、本実施の形態においては、爪部１６及び爪挿入部１８がそれぞれ３個配置されている場合を例に挙げて説明したが、本発明は必ずしもこのような構成に限定されるものではない。爪部及び爪挿入部の数は、２個であっても、４個以上であってもよい。
【００９０】
また、本実施の形態においては、爪挿入部が袋状に形成されている場合を例に挙げて説明したが、本発明は必ずしもこのような構成に限定されるものではない。例えば、爪挿入部は、両端が生地に固定された複数の糸を、間隔を置いて複数並べることによって形成されていてもよい。
【００９１】
また、本実施の形態においては、シャツ本体１４に着脱自在に装着されるシャツ構成部材として袖部材１５だけを備えている場合を例に挙げて説明したが、本発明は必ずしもこのような構成に限定されるものではない。上記第１及び第２の実施の形態において説明したシャツ構成部材としての襟部材３及び袖口部材（カフス）４のいずれか又は双方をさらに備えた構成であってもよい。
【００９２】
また、上記第１〜第３の実施の形態においては、シャツ構成部材が、襟部材３、袖口部材（カフス）４、袖部材１５である場合を例に挙げて説明したが、本発明にいう「シャツ構成部材」は必ずしもこれらの部材に限定されるものではない。シャツ構成部材には、シャツを構成するあらゆる部材、例えば、図１５に示す前立て２４、ポケット２５等も含まれる。
【産業上の利用可能性】
【００９３】
本発明によれば、襟部材、袖口部材（カフス）などのシャツ構成部材の着脱が容易であると共に、当該シャツ構成部材を装着した状態でも着用感の良好なシャツを提供することができる。また、本発明によれば、襟部材、袖口部材（カフス）などのシャツ構成部材が簡単に外れてしまうことのないシャツを提供することができる。従って、本発明のシャツは、いろいろな形、デザインの襟部材や袖口部材（カフス）に簡単に取り替えて、クールビズのお洒落を存分に楽しむのに有用である。
【符号の説明】
【００９４】
１、１３  シャツ
２、１４  シャツ本体
３  襟部材
３ａ  折り曲げ線
４  袖口部材（カフス）
４ａ  右側の袖口部材（カフス）
４ｂ  左側の袖口部材（カフス）
５、９、１６  爪部
６、１１、１８  爪挿入部
６ａ、１１ａ、１８ａ  挿入口
７  立襟
８  前ボタン
１０、１７  袖先端部
１２  袖ボタン
１５  袖部材
１５ａ  右側の袖部材
１５ｂ  左側の袖部材
１９  袖部材の基端開口縁線
２０  袖口
２１  半袖シャツの袖先端部の開口縁線
２２  切れ込み
２３  ボタンホール
２４  前立て
２５  ポケット
【図１】
0005883421.tif 000002
【図２】
0005883421.tif 000003
【図３】
0005883421.tif 000004
【図４】
0005883421.tif 000005
【図５】
0005883421.tif 000006
【図６】
0005883421.tif 000007
【図７】
0005883421.tif 000008
【図８】
0005883421.tif 000009
【図９】
0005883421.tif 000010
【図１０】
0005883421.tif 000011
【図１１】
0005883421.tif 000012
【図１２】
0005883421.tif 000013
【図１３】
0005883421.tif 000014
【図１４】
0005883421.tif 000015
【図１５】
0005883421.tif 000016
【図１６】
0005883421.tif 000017
【図１７】
0005883421.tif 000018